(57)【特許請求の範囲】
【請求項１】
内部の空気通路を介して連通された空気吸込口および空気吹出口を有する天井吊り下げ型のハウジングを含み、上記空気通路内には下部にドレンパンを備えた熱交換器と送風ファンとが設けられ、上記空気吹出口内には水平回転軸線を中心として上下方向に回動可能な少なくとも１枚の上下風向板と、上記水平回転軸線に対してほぼ直交する回転軸線を中心として左右方向に回動可能な複数枚の左右風向板を含む左右風向板群とが設けられている空気調和機において、
上記各左右風向板には、その上辺から上記回転軸線に沿って上方に延びる所定長さの回転支軸が形成されているとともに、上記空気吹出口の上部を形成する上記ハウジングの天板側には、上記各左右風向板の回転支軸が挿通される軸受け円筒部を有する支持基板が設けられており、上記回転支軸および上記軸受け円筒部を介して上記各左右風向板が上記支持基板に対して片持ち的に支持されていることを特徴とする空気調和機。
【請求項２】
上記軸受け円筒部の上端部と下端部には、第１および第２軸受けブッシュが設けられており、上記回転支軸はその上端部側の第１ブッシュと下端側の第２ブッシュの２箇所で支持されていることを特徴とする請求項１に記載の空気調和機。
【請求項３】
上記第１および第２軸受けブッシュが自己潤滑性を有する合成樹脂から形成されていることを特徴とする請求項２に記載の空気調和機。
【請求項４】
上記左右風向板自体が自己潤滑性を有する合成樹脂からなり、上記第２軸受けブッシュが上記回転支軸と一体に形成されていることを特徴とする請求項２または３に記載の空気調和機。
【請求項５】
上記第１ブッシュの各々には連結ロッドにて互いに連結されるアームが連設されており、上記各左右風向板は上記第１ブッシュのアームおよびその連結ロッドを介して相互に連結されていることを特徴とする請求項２または３に記載の空気調和機。
【請求項６】
上記連結ロッドには所定の間隔をもって複数の連結孔が形成されているとともに、上記アームにはその連結孔に嵌合する連結ピンと、同連結ピンに嵌合された上記連結ロッドを着脱可能に保持する可撓性を有する保持片とが設けられていることを特徴とする請求項５に記載の空気調和機。
【請求項７】
上記回転支軸の上部には、上記第１ブッシュに対して弾性的に縮径して挿通され、かつ、同第１ブッシュの上端縁に係止可能な爪を有する少なくとも一対の係止片が設けられており、同係止片により上記回転支軸と上記第１ブッシュとがそれらの間に相対的な回転ずれが生じないように一体的に連結されることを特徴とする請求項２、３または５に記載の空気調和機。
【請求項８】
上記支持基板の上記空気吹出口面側には断熱材が所定の厚さで貼り付けられていることを特徴とする請求項１に記載の空気調和機。
【請求項９】
上記支持基板には、上記軸受け円筒部が上記断熱材を貫通するように設けられていることを特徴とする請求項８に記載の空気調和機。
【請求項１０】
上記断熱材には、上記左右風向板群の駆動装置を収納する収納凹部が形成されていることを特徴とする請求項８に記載の空気調和機。
【請求項１１】
上記ドレンパンには、上記上下風向板の回転支軸の中間部分を支持する少なくとも１つのヒンジが設けられていることを特徴とする請求項１に記載の空気調和機。
【請求項１２】
上記ヒンジが自己潤滑性を有する合成樹脂から形成されていることを特徴とする請求項１１に記載の空気調和機。
【請求項１３】
上記空気吹出口の側壁外面には上記上下風向板の駆動装置が設けられているとともに、同側壁内面には断熱材が貼り付けられていることを特徴とする請求項１に記載の空気調和機。
【請求項１４】
上記左右風向板の下辺の内、最も下方に位置する部分が上記ドレンパン上に位置され、上記各左右風向板に付着した露滴が上記ドレンパン上に滴下するようにしたことを特徴とする請求項１に記載の空気調和機。
【請求項１５】
上記空気吹出口の空気吹出方向を基準として、上記左右風向板の上流側の側辺と下辺の交点部が最下方位置とされていることを特徴とする請求項１４に記載の空気調和機。
【請求項１６】
上記左右風向板の回転軸線と直交する仮想の基準線に対して、同左右風向板の回転支軸の根元部分からその上辺の両肩が所定角度で切り落されていることを特徴とする請求項８に記載の空気調和機。
【発明の詳細な説明】
【０００１】
【発明の属する技術分野】
本発明は空気調和機に関し、さらに詳しく言えば、天井吊り下げ型の空気調和機の空気吹出口に設置される風向板に好適な取り付け構造に関するものである。
【０００２】
【従来の技術】
天井吊り下げ型の空気調和機は、主にオフィスや店舗などの広いスペースを対象としてその天井に設置して使用され、構造的に例えば壁掛け型の空気調和機よりも大型である。
【０００３】
その従来構造の一例を図１０〜図１２を参照しながら説明すると、この空気調和機は、室内の天井面に設置される全体として扁平な箱形のハウジング１を備えている。なお、図１０においては、作図の都合上ハウジング１の中間部分は省略されている。
【０００４】
ハウジング１の下面の一端側には空気吸込口２が設けられ、また、その空気吸込口２とは反対側のハウジング１のコーナー部分には空気吹出口３が形成されている。空気吸込口２と空気吹出口３はハウジング１内の空気通路で連通されており、この空気通路内には送風ファン４と熱交換器５とが設けられている。熱交換器５の下部にはドレンパン６が配置されている。
【０００５】
空気吹出口３は天井側から室内に向けて斜め下方に開口されており、この空気吹出口３内には、上下風向板（フラップ）７と左右風向板（ルーバー）８とが設けられている。上下風向板７は水平回転軸線Ｘを中心として上下方向に回動可能であり、左右風向板８は上下風向板７の水平回転軸線Ｘと直交する回転軸線Ｙを中心として左右方向に回動可能である。
【０００６】
この従来例では、上下風向板７は２枚用いられている。左右風向板８は図１０では１枚しか示されていないが、実際には図面と直交する方向に所定の間隔をもってその複数枚が設けられており、その各左右風向板８全体を指す場合には、左右風向板群と言う。
【０００７】
上下風向板７および左右風向板８はベースフレーム９に取り付けられた状態で空気吹出口３内にセットされている。図１１と図１２を参照すると、ベースフレーム９は上板９ａ、下板９ｂおよびその両端に設けられた側板９ｃ，９ｃを含む横長四角状をなす合成樹脂製の枠体からなり、実質的にこのベースフレーム９によって空気吹出口３が形成されている。
【０００８】
天井吊り下げ型の空気調和機は壁掛け型に比べて大型であるため空気吹出口３も大きく、したがってそこに設けられる風向板７，８も壁掛け型のものより大きな風向板が用いられる。そのため、左右風向板８については、支持強度上、その上辺と下辺とに回転支軸８ａ，８ｂを設け、上下２箇所で左右風向板８を支持するようにしている。
【０００９】
すなわち、ベースフレーム９を上記したように四角枠状とし、その上板９ａと下板９ｂにそれぞれ軸受け孔１０ａ，１０ｂを設け、上部回転支軸８ａと下部回転支軸８ｂを軸受けブッシュ１１ａ，１１ｂを介して軸受け孔１０ａ，１０ｂに挿通するようにしている。
【００１０】
この場合、上部回転支軸８ａ用の軸受けブッシュ１１ａの各々には、図１１に示されているように、アーム１２が連設されている。そして、アーム１２の相互がモータ１４（図１０参照）によって往復的に駆動される連結ロッド１３にて連結されている。これにより、各左右風向板８はモータ１４により、所定の角度範囲内で左右方向に駆動される。
【００１１】
上下風向板７は、その回転軸７ａをベースフレーム９の側板９ｃに穿設されている軸受け孔１５に挿通することにより、ベースフレーム９に対して上下動可能に取り付けられる。この場合、上下風向板７は長尺であるため、ベースフレーム９の上板９ａと下板９ｂとの間には、所定の間隔で支持板１６が立てられ、この支持板１６には上下風向板７の回転軸７ａの中間部分を支持するヒンジ１６ａが設けられている。
【００１２】
【発明が解決しようとする課題】
このようにして、上下風向板７および左右風向板８がベースフレーム９に取り付けられ、その組立体が空気吹出口３内に設けられるのであるが、これには次のような課題がある。
【００１３】
すなわち、ベースフレーム９が四角枠状であり、しかもその上板９ａと下板９ｂには数多くの軸受け孔１０ａ，１０ｂが形成されているため、ベースフレーム９の内面に断熱材を貼り付けることが困難である。
【００１４】
そのため、ベースフレーム９の内面に結露が発生し、それが成長して空気吹出口３から滴下することがあった。もっとも、この問題はベースフレーム９の内面に断熱材を貼り付けることにより解決されるが、その貼り付け作業にはかなりの時間と労力を要するため、生産性が悪くコスト高になるという別の問題が提起されることになる。
【００１５】
また、ベースフレーム９は樹脂成形品からなるが、その構造が四角枠状であるため、複数の金型を要しコスト高であるばかりでなく、空気吹出口３に外観上見栄えよく取り付けるには、綿密な仕上げが必要とされ、これもコスト高の要因として挙げられる。
【００１６】
さらには、左右風向板８をその上下２箇所で軸支しているため、片持ち支持に比べて下部の軸受けブッシュ１１ｂが必要とされる。この下部の軸受けブッシュ１１ｂはその形状が小さく、しかも使用する数も多いため、組み立て作業をさらに困難なものとしている。
【００１７】
そればかりではなく、上下風向板７の中間部分を支持するため、ベースフレーム９に支持板１６を設けているが、その取付作業コストおよび部品コストがかかる上に、支持板１６の存在がいわゆる風切り音の発生原因となるおそれがあり、また、空気吹出口３のデザイン性を損なうことにもなりかねない。
【００１８】
本発明は、このような種々の課題を解決するためになされたもので、その目的は、空気吹出口に対する風向板の取付構造の簡素化が図られ、総じて低コストであり、しかも結露などが発生しないようにした天井吊り下げ型の空気調和機を提供することにある。
【００１９】
【課題を解決するための手段】
上記目的を達成するため、本発明は、内部の空気通路を介して連通された空気吸込口および空気吹出口を有する天井吊り下げ型のハウジングを含み、上記空気通路内には下部にドレンパンを備えた熱交換器と送風ファンとが設けられ、上記空気吹出口内には水平回転軸線を中心として上下方向に回動可能な少なくとも１枚の上下風向板と、上記水平回転軸線に対してほぼ直交する回転軸線を中心として左右方向に回動可能な複数枚の左右風向板を含む左右風向板群とが設けられている空気調和機において、上記各左右風向板には、その上辺から上記回転軸線に沿って上方に延びる所定長さの回転支軸が形成されているとともに、上記空気吹出口の上部を形成する上記ハウジングの天板側には、上記各左右風向板の回転支軸が挿通される軸受け円筒部を有する支持基板が設けられており、上記回転支軸および上記軸受け円筒部を介して上記各左右風向板が上記支持基板に対して片持ち的に支持されていることを特徴としている。
【００２０】
この場合、上記軸受け円筒部の上端部と下端部には、第１および第２軸受けブッシュが設けられることが好ましく、これによれば、上記回転支軸をその上端部側の第１ブッシュと下端側の第２ブッシュの２箇所で確実に支持することができる。
【００２１】
上記第１および第２軸受けブッシュが自己潤滑性を有する合成樹脂から形成されていることも、本発明の特徴の一つである。このような合成樹脂としては、ポリアセタール樹脂が例示でき、その樹脂の中でもワックス成分を含有させたグレードのものが好適である。
【００２２】
上記左右風向板自体が自己潤滑性を有する合成樹脂からなる場合には、上記第２軸受けブッシュを上記回転支軸と一体に形成することにより、使用部品点数を削減することができる。
【００２３】
上記第１ブッシュの各々には連結ロッドにて互いに連結されるアームが連設されており、上記各左右風向板は上記第１ブッシュのアームおよびその連結ロッドを介して相互に連結されていることも、また本発明の特徴として挙げることができる。
【００２４】
この場合、上記連結ロッドには所定の間隔をもって複数の連結孔が形成されているとともに、上記アームにはその連結孔に嵌合する連結ピンと、同連結ピンに嵌合された上記連結ロッドを着脱可能に保持する可撓性を有する保持片とが設けられていることが、組み立て作業を楽にする上で好ましい。
【００２５】
また、上記回転支軸の上部には、上記第１ブッシュに対して弾性的に縮径して挿通され、かつ、同第１ブッシュの上端縁に係止可能な爪を有する少なくとも一対の係止片が設けられており、同係止片により上記回転支軸と上記第１ブッシュとがそれらの間に相対的な回転ずれが生じないように一体的に連結される構成を採用することによっても、組み立て作業が改善される。
【００２６】
本発明においては、上記支持基板の上記空気吹出口面側には断熱材が所定の厚さで貼り付けられていることを特徴としている。すなわち、この支持基板は単純な形状の板材からなるため、断熱材を容易に貼り付けることができる。
【００２７】
上記支持基板には、上記軸受け円筒部が上記断熱材を貫通するように設けられていることが好ましく、これによれば、断熱材の厚さを利用して軸受け円筒部の軸長を長くとることができ、上記左右風向板の回転支軸をよりしっかりと軸支することが可能となる。
【００２８】
本発明によれば、上記断熱材には、上記左右風向板群の駆動装置を収納する収納凹部を形成することができ、これにより、ハウジング内の限られたスペースをより有効に使用することができる。
【００２９】
また、本発明によれば、上記ドレンパンに、上記上下風向板の回転支軸の中間部分を支持する少なくとも１つのヒンジを設けることができる。このヒンジはドレンパンに対して片持ち状に取り付けられ、従来例のように空気吹出口全体を垂直に横切るものではないため、風切り音の発生原因ともならないし、空気吹出口のデザインを損なうおそれもない。
【００３０】
上記ヒンジが自己潤滑性を有する合成樹脂から形成されていることが好ましく、これによれば、上下風向板の回転支軸用の軸受けブッシュを省略することができる。
【００３１】
本発明において、上記空気吹出口の側壁外面には上記上下風向板の駆動装置が設けられているとともに、同側壁内面には断熱材が貼り付けられていることが好ましく、これによれば、結露発生面をより少なくすることができる。
【００３２】
本発明の別の特徴として、上記左右風向板の下辺の内、最も下方に位置する部分が上記ドレンパン上に位置され、上記各左右風向板に付着した露滴が上記ドレンパン上に滴下するようにしたことを挙げることができる。これによれば、左右風向板に結露が生じたとしても、その結露はドレンパンに回収され、空気吹出口から滴下することはない。
【００３３】
この場合、上記空気吹出口の空気吹出方向を基準として、上記左右風向板の上流側の側辺と下辺の交点部を最下方位置とすることが好ましく、これによれば、ドレンパンの形状をことさら変更する必要がなく、既存のドレンパンを使用することができる。
【００３４】
また、本発明は、上記左右風向板の回転軸線と直交する仮想の基準線に対して、同左右風向板の回転支軸の根元部分からその上辺の両肩が所定角度で切り落されていることを特徴としている。
【００３５】
これによれば、支持基板に貼着されている断熱材が仮に下方に膨らみ、左右風向板との間の隙間が狭くなったとしても、回転支軸の周りの一部分が接触するのみであるため、左右風向板の回動に悪影響を与えることはない。
【００３６】
【発明の実施の形態】
次に、本発明の技術的思想をよりよく理解するうえで、図面を参照しながら、その好適な実施の形態の２例について説明する。
【００３７】
図１〜図４が第１実施例であり、図１はこの第１実施例の天井吊り下げ型空気調和機２０の断面図で、その全体構造が示されている。この空気調和機２０においても、外観的には先に説明した従来例と同様に、室内の天井面に設置される全体として扁平な箱形のハウジング２１を備えている。
【００３８】
この場合、床側から見てハウジング２１の下面が前面パネル２２となるが、前面パネル２２の一端側には空気吸込口２３が設けられ、また、その空気吸込口２３とは反対側のハウジング２１のコーナー部分には空気吹出口２４が形成されている。空気吸込口２３には化粧グリル２３１と除塵フィルタ２３２とが設けられている。
【００３９】
空気吸込口２３と空気吹出口２４はハウジング２１内の空気通路２５で連通されている。この空気通路２５の空気吸込口２３側には送風ファン２６がファンケーシング２６１に囲まれた状態で配置されている。なお、ハウジング２１内のファンケーシング２６１の側部には電装品箱２６３が設けられている。
【００４０】
ファンケーシング２６１の空気吐出口２６２側の空気通路２５内には、その空気吐出口２６２に対向して熱交換器２７が配置されている。この熱交換器２７の下方には、同熱交換器２７から滴下する露滴を回収するドレンパン２７１が設けられている。
【００４１】
この第１実施例において、図示しない室内の天井面と対向するハウジング２１の天板２８は、その天井面に直付けされる主天板２８１と、この主天板２８１に対して斜め下方に延びるようにビス２８３にて固定された副天板２８２とを含み、主天板２８１の熱交換器２７に対向する内面には断熱材２９が貼り付けられている。なお、この副天板２８２と上記前面パネル２２とにより空気吹出口２４の一部が形成されている。
【００４２】
空気吹出口２４内には、左右風向板（ルーバー）３０と上下風向板（フラップ）４０とが設けられている。上下風向板４０は水平回転軸線Ｘを中心として上下方向に回動可能であり、これに対して、左右風向板３０は上下風向板４０の水平回転軸線Ｘと直交する回転軸線Ｙを中心として左右方向に回動可能である。
【００４３】
この第１実施例では上下風向板４０は１枚である。この上下風向板４０は空気吹出口２４の開口部をほぼ半分を塞ぐ大きさの帯板からなり、図１のように開口部の底部側を塞ぐ第１位置と、この第１位置から時計方向に回動して開口部の側部を塞ぐ第２位置とに選択的に回動される。
【００４４】
左右風向板３０は、図１では１枚しか示されていないが、図３の平面図に示されているように、実際には図１と直交する方向に所定の間隔をもってその複数枚が一つの群として設けられている。この複数枚の左右風向板３０は同一構成であるため、その一つについて説明する。
【００４５】
図２の要部拡大断面図に示されているように、左右風向板３０は、その上辺３０１から上記回転軸線Ｙに沿って上方に延びる回転支軸３１を備えている。図示されていないが、この回転支軸３１はその断面がほぼ正方形の柱状体である。
【００４６】
回転支軸３１の上部には、弾性的に縮径するように二股状に分岐された一対の係止片３１１，３１１が設けられている。各係止片３１１，３１１の上端には矢尻状の爪３１２，３１２がそれぞれ形成されている。
【００４７】
副天板２８２側には、左右風向板３０の１群を支持する支持基板（ルーバーベース）５０が設けられている。図３を併せて参照すると、この支持基板５０は、左右風向板３０の回転軸線Ｙと直交する平面を有する帯板状の基板本体５１と、同基板本体５１の両側辺から副天板２８２側に折り曲げられた側板５２，５２とを備え、この側板５２，５２がビス２８４，２８４にて副天板２８２に取り付けられている。
【００４８】
基板本体５１には、軸受け円筒部５１１が形成されている。この軸受け円筒部５１１内に左右風向板３０の回転支軸３１が挿通されるのであるが、この場合、軸受け円筒部５１１の上部と下部とにそれぞれ軸受けブッシュ５３，５４が嵌合され、回転支軸３１はこの軸受けブッシュ５３，５４の２点で軸受け円筒部５１１に片持ち的に軸支される。
【００４９】
なお、詳しくは図示されていないが、軸受けブッシュ５３，５４には左右風向板３０の回転支軸３１に合致するほぼ正方形状の挿通孔が形成されており、これにより、軸受けブッシュ５３，５４は回転支軸３１と一体に回転する。また、上部の軸受けブッシュ５３に対しては、回転支軸３１の係止片３１１，３１１が弾性的に縮径してに挿通し、抜け出た時点でその爪３１２，３１２が軸受けブッシュ５３の上端縁に係合する。これにより、回転支軸３１が軸受け円筒部５１１にしっかりと保持される。
【００５０】
この第１実施例において、軸受けブッシュ５３，５４は自己潤滑性を有する合成樹脂から形成されている。このような合成樹脂としては、例えばポリアセタール樹脂があり、その樹脂の中でもワックス成分を含有させたグレードのものが好適である。
【００５１】
上部の軸受けブッシュ５３には基板本体５１と平行に延びるアーム５５が一体に形成されており、このアーム５５には連結ピン５５１が設けられている。この連結ピン５５１に、各左右風向板３０を連結する連結ロッド５６が取り付けられる。すなわち、連結ロッド５６は各左右風向板３０にわたる長さを有し、その各左右風向板３０の配置間隔と同じ間隔で連結ピン５５１に嵌合される連結孔５６１を有している。
【００５２】
アーム５５の端部には、連結ピン５５１上を覆うようにほぼＵ字状に折り返される保持片５５２が連設されている。この保持片５５２には、連結ピン５５１のまわりに緩く嵌合する孔５５３を備えている。この保持片５５２は弾性変形可能であり、連結ロッド５６を連結ピン５５１に着脱する際に指にて上方に反り返され、常態においては、連結ロッド５６が連結ピン５５１から外れるのを防止している。
【００５３】
図３に示されているように、連結ロッド５６の一端はリンク板５７を介して左右風向板駆動用のモータ５８に連結されている。このモータ５８は可逆回転可能な例えばステッピングモータからなり、所定角度範囲内で往復的に回動する。この回動運動は、リンク板５７、連結ロッド５６、アーム５５および軸受けブッシュ５３を介して各左右風向板３０に伝達され、これにより、各左右風向板３０は左右方向に一斉に首振り運動することになる。
【００５４】
支持基板５０の内面、すなわち空気吹出口の内面側には断熱材２９１が例えば両面接着テープにて貼り付けられている。この断熱材２９１は、支持基板５０に各左右風向板３０を取り付ける前に貼着され、軸受け円筒体５５１は断熱材２９１を貫通している。
【００５５】
また、図１に示されているように、断熱材２９１には凹部２９２が形成されており、この凹部２９２内に左右風向板駆動用のモータ５８が収納されている。なお、この第１実施例では、空気吹出口２４側から見て、断熱材２９１の手前側にさらに別の断熱材２９３が副天板２８２に貼り付けられているが、断熱材２９１と２９３は一体であってもよい。
【００５６】
図４には上下風向板４０の片側しか示されていないが、この上下風向板４０は、その両端に水平回転軸線Ｘと同軸の回転支軸４１を備えている。空気吹出口２４の図示されている一方の側板２４１は、その裏面側にモータ支持フレーム２４２を備え、このモータ支持フレーム２４２に上下風向板駆動用のモータ４２およびその駆動歯車４２１に連結された出力歯車４２２が設けられている。
【００５７】
側板２４１の内面にも断熱材２４３が貼り付けられている。出力歯車４２２の出力軸４２３は断熱材２４３を貫通して空気吹出口２４内に突出しており、その出力軸４２３に上下風向板４０の一方の回転支軸４１が連結されている。なお、他方の回転支軸は図示されていない他方の側板の軸受け孔に嵌合保持され、また、他方の側板の内面にも、同様に断熱材が貼り付けられている。
【００５８】
上下風向板４０の中間部分にも、所定の間隔でいくつかの回転支軸４１１が設けられている。この実施例において、中間の回転支軸４１１は、上下風向板４０の裏面に立設されたリブ板４３に対して、両端の回転支軸４１と同軸となるように一体に形成されている。
【００５９】
ドレンパン２７１の空気吹出口２４に臨む端縁部には、中間の回転支軸４１１を回転可能に支持するヒンジ４４が設けられている。このヒンジ４４は、ドレンパン２７１に取り付けられる部分を底辺とし、回転支軸４１１の部分を頂点とする三角形状の板材からなり、その頂点部分にはほぼＵ字状の軸受け溝４４１が設けられている。このヒンジも上記軸受けブッシュ５３，５４と同様に、自己潤滑性を有する合成樹脂からなることが好ましい。
【００６０】
この構成において、各左右風向板３０および上下風向板４０は次のようにして組み立てられる。各左右風向板３０については、まず、あらかじめ断熱材２９１が貼着された支持基板５０に対して、各左右風向板３０を取り付ける。そして、その基板本体５１上で連結ロッド５６にてモータ５８と各左右風向板３０とを連結した後、支持基板５０を副天板２８２に取り付ける。
【００６１】
上下風向板４０については、ドレンパン２７１の空気吹出口２４に臨む端縁部にヒンジ４４を取り付けた後、上下風向板４０の両端にある回転支軸４１，４１をモータの出力軸４２３と図示されていない側板に穿設されている軸受け孔に取り付けるとともに、中間の回転支軸４１１をヒンジ４４の軸受け溝４４１に嵌合すればよい。
【００６２】
次に、本発明の第２実施例を図５〜図８に基づいて説明する。なお、この第２実施例は、上記第１実施例の構成の補足的説明も兼ねるため、第１実施例と同一もしくは同一と見なされる部分には、同一の参照符号を用いている。
【００６３】
まず、図５の全体構造を示した断面図で、この天井吊り下げ型空気調和機２０Ａにおいても、第１実施例と同様なハウジング２１を備えている。このハウジング２１について、第１実施例と主に異なっている点は、その天板２８の内面に設けられる断熱材２９１が熱交換器２７の頂部から空気吹出口２４にかけて一体成形品として設けられている点と、前面パネル２２にリモートコントローラからの赤外線信号を受光する受光ユニット２２１が付加されている点である。
【００６４】
なお、上下風向板４０およびその駆動手段としてのモータ４２、出力歯車４２２などの構成も実質的に第１実施例と同じであるため、その説明は省略する。
【００６５】
この第２実施例においては、左右風向板について第１実施例と異なる形状の左右風向板３０Ａが用いられている。すなわち、左右風向板３０Ａの下辺３０２の内、最も下方に位置する部分をドレンパン２７１上に位置させて、この左右風向板３０Ａに付着した露滴がドレンパン２７１上に滴下するようにしている。
【００６６】
具体的に、この第２実施例では、空気吹出口２４の空気吹出方向を基準として、左右風向板３０Ａの上流側の側辺３０３と下辺３０２の交点部Ｃを、この左右風向板３０Ａの最下方位置とするとともに、その交点部Ｃをドレンパン２７１上に位置させている。これによれば、ドレンパンの形状をことさら変更する必要がなく、既存のドレンパンを使用することができる。
【００６７】
また、この第２実施例では、左右風向板３０Ａの材質を自己潤滑性を有する合成樹脂とし、図７によく示されているように、左右風向板３０Ａの回転支軸３１の根元部分に、第１実施例で用いている下部の軸受けブッシュ５４に相当する軸受けブッシュ５４Ａを一体に形成し、部品点数の削減を図っている。
【００６８】
図６は支持基板５０に組み付けられる各構成部品の分解斜視図、図７および図８はそれぞれ図６の要部拡大斜視図であり、その構成は実質的に第１実施例のものと変わらないが、これらの各図によって、各左右風向板３０Ａ（３０）の連結構造およびその組み立て手順を補足的に説明する。
【００６９】
先の第１実施例で説明されていないが、断熱材２９１は例えば発泡合成樹脂の成形体からなり、この断熱材２９１にはモータ収納用の凹部２９２のほかに、軸受け円筒部５１１が挿通される挿通孔２９４が多数穿設されている。その凹部２９２内にモータ５８を収納し、その配線コード５８２を側板２４１の孔２４５から外部に引き出した後、例えば両面接着テープにて、断熱材２９１を支持基板５０に取り付ける。
【００７０】
次に、各左右風向板３０Ａを軸受け円筒部５１１に挿通し、その一対の係止片３１１，３１１を上部の軸受けブッシュ５３に係止して、左右風向板３０Ａと軸受けブッシュ５３とを一体化する。そして、各左右風向板３０Ａの方向を揃えながら、保持片５５２を指で上方に反り返した状態として、連結ロッド５６の各連結孔５６１を連結ピン５５１にはめ込み、各左右風向板３０Ａを連結ロッド５６にて相互に連結する。
【００７１】
一方、モータ５８の駆動軸５８１にリンク板５７を嵌合しておく。連結ロッド５６の一端側に穿設されている連結孔５６２をリンク板５７の連結ピン５７１に嵌合する。そして、支持基板５０の端部に立設されている係止ピン５３とリンク板５７との間に引っ張りコイルバネ６１を取り付ける。このコイルバネ６１は、各左右風向板３０Ａを常に同じ位置に戻すためのものである。
【００７２】
これで、支持基板５０に対する各左右風向板３０Ａの組み立てが完了し、この支持基板５０のアセンブリを空気吹出口２４の天板に取り付けることにより、図５に例示されているように、各左右風向板３０Ａが空気吹出口２４内にセットされる。
【００７３】
なお、断熱材２９１は両面接着テープなどで支持基板５０に貼着されるが、例えばこの第２実施例の場合、支持基板５０を天板にビス止めする際、断熱材２９１の両端が天板に押し付けられるため、両面接着テープの接着力がいかに強力でも断熱材２９１の中央部分が下方に膨らみ、これが原因で左右風向板３０Ａが断熱材２９１に接触して正常に回動しなくなるおそれが生ずる。
【００７４】
この問題の解決方法として、断熱材２９１を薄くして左右風向板３０Ａとの隙間を大きくする方法と、戻しコイルバネ６１の張力を大きくする方法とがあるが、前者の場合には断熱効果が損なわれることになる。また、後者の方法によると、モータ５８に対する負荷が増大し好ましくない。
【００７５】
そこで、本発明では、図９に示されているように、回転支軸３１の回転軸線Ｙと直交する線Ｚを基準として、左右風向板３０Ａの回転支軸３１の根元部分から上辺３０１の両肩を所定角度で切り落とした形状としている。その切り落とし角度としては約５度程度が好ましい。
【００７６】
これによれば、仮に断熱材２９１が膨らみ、左右風向板３０Ａとの間の隙間が狭くなったとしても、回転支軸３１の周りの一部分が接触するのみであるため、左右風向板３０Ａの回動に悪影響を与えることはない。なお、第２実施例の左右風向板３０Ａを例にして説明したが、第１実施例の左右風向板３０についても同様に適用できる。
【００７７】
なお、上記各実施例の空気調和機は天井吊り下げ型であるが、そのドレンパンの形状もしくは配置を変更することにより、壁掛け型の空気調和機もしくは床置き型の空気調和機としても使用することができる。
【００７８】
【発明の効果】
以上説明したように、本発明によれば、各左右風向板が支持基板に対して片持ち的に支持されているため、空気吹出口に対する風向板の取付構造が大幅に簡素化され、しかも空気吹出口に対して断熱材を容易に取り付けることができる。
【００７９】
したがって、総じて低コストであり、しかも結露などが発生しないようにした天井吊り下げ型の空気調和機が提供される。
【図面の簡単な説明】
【図１】本発明による第１実施例としての空気調和機の内部構造を示した断面図。
【図２】上記第１実施例における左右風向板の支持構造を示した要部拡大断面図。
【図３】上記左右風向板の支持構造を示した要部拡大平面図。
【図４】上記第１実施例における上下風向板の支持構造を示した要部拡大平面図。
【図５】本発明による第２実施例としての空気調和機の内部構造を示した断面図。
【図６】上記第２実施例における左右風向板の支持構造を示した分解斜視図。
【図７】上記第２実施例における左右風向板の支持構造の下部側を拡大した分解斜視図。
【図８】上記第２実施例における左右風向板の支持構造の上部側を拡大した分解斜視図。
【図９】本発明のさらに別の実施例を上記第２実施例に適用した要部断面図。
【図１０】従来例としての空気調和機の内部構造を示した断面図。
【図１１】上記従来例の空気吹出口の部分を拡大した断面図。
【図１２】上記従来例の空気吹出口内に設けられるベースフレームの斜視図。
【符号の説明】
２０，２０Ａ  天井吊り下げ型の空気調和機
２１  ハウジング
２３  空気吸込口
２４  空気吹出口
２５  空気通路
２６  送風ファン
２７  熱交換器
２９，２９１，２９３  断熱材
３０，３０Ａ  左右風向板
３１  回転支軸
４０  上下風向板
４２  モータ（上下風向板駆動用）
５０  支持基板
５３，５４  軸受けブッシュ
５８  モータ（左右風向板駆動用）
【図１】
0003765357.tif 000002
【図２】
0003765357.tif 000003
【図３】
0003765357.tif 000004
【図４】
0003765357.tif 000005
【図５】
0003765357.tif 000006
【図６】
0003765357.tif 000007
【図７】
0003765357.tif 000008
【図８】
0003765357.tif 000009
【図９】
0003765357.tif 000010
【図１０】
0003765357.tif 000011
【図１１】
0003765357.tif 000012
【図１２】
0003765357.tif 000013